(57)【要約】【課題】磁気テープの巻き戻し中又は早送り中に、利用者を退屈させることがない記録再生装置を提供する。【解決手段】信号制御回路３は、記録された番組の再生の場合、制御部１１から入力される制御信号に基づいて、再生中の時間が５分経過する都度、再生中のアナログ映像音声データから静止画像を生成して取得し、取得した静止画像を画像メモリ１４に記録する。制御部１１は、ＶＴＲインタフェイス回路４から入力されたコントロール信号を計数することにより、一旦再生された磁気テープの巻き戻し時又は早送り時における磁気テープの走行位置を検出する。制御部１１は、磁気テープを巻き戻し又は早送りする場合、所定時間が経過する都度、画像メモリ１４に記録した静止画像をモニタに表示するための制御信号を信号制御回路３へ出力する。【選択図】図１
2007274093.tif 000002
【特許請求の範囲】
【請求項１】
磁気テープに情報を記録するとともに、記録された情報を再生する記録再生装置において、
再生中の情報から静止画像を取得する取得手段と、
該取得手段で取得された静止画像を記憶する記憶手段と、
磁気テープの巻き戻し中又は早送り中に、該磁気テープの再生中に取得された静止画像を出力する出力手段と
を備えることを特徴とする記録再生装置。
【請求項２】
磁気テープに記録された情報を再生するための再生ヘッドと、
再生中の情報から取得した静止画像の取得箇所を特定する特定手段と
を備え、
前記出力手段は、
磁気テープが巻き戻し又は早送りされる場合、前記取得箇所が前記再生ヘッド付近を走行する時点で、該取得箇所で取得された静止画像を出力するように構成してあることを特徴とする請求項１に記載の記録再生装置。
【請求項３】
再生中の経過時間を計時する計時手段を備え、
前記取得手段は、
所定時間が経過する都度、静止画像を取得するように構成してあることを特徴とする請求項１又は請求項２に記載の記録再生装置。
【請求項４】
音楽データを記憶する手段と、
磁気テープが再生済であるか否かを判定する判定手段と、
該判定手段で磁気テープが再生済でないと判定された場合、該磁気テープの巻き戻し中又は早送り中に、記憶された音楽データを再生する手段と
を備えることを特徴とする請求項１乃至請求項３のいずれか１つに記載の記録再生装置。
【請求項５】
磁気テープを再生する場合に、該磁気テープを識別する識別情報を該磁気テープに記録する手段と、
前記識別情報と前記磁気テープの再生中に取得された静止画像とを関連付けて記憶する手段と、
磁気テープが装填された場合、磁気テープに記録された識別情報を読み取る読取手段と、
該読取手段で読み取った識別情報と記憶された識別情報とが一致するか否かを判定する手段と、
読み取った識別情報が記憶された識別情報と一致する場合、一致した識別情報に関連付けて記憶された静止画像を出力する手段と
を備えることを特徴とする請求項１乃至請求項４のいずれか１つに記載の記録再生装置。
【発明の詳細な説明】
【技術分野】
【０００１】
本発明は、磁気テープに情報を記録するとともに、記録された情報を再生する記録再生装置に関し、特に磁気テープを巻き戻し中又は早送り中に静止画像を出力する記録再生装置に関する。
【背景技術】
【０００２】
近年の技術進展により、ハード・ディスク・ドライブの記憶密度は増加し、映像・音声などの大容量の情報を記憶する記憶装置として、ビデオレコーダなどのＡＶ機器にハード・ディスク・ドライブを内蔵するようになってきている。一方で、記録メディアとして、ＤＶＤが普及してきており、ビデオテープ、ハードディスク、ＤＶＤの３つの記録メディアを１台に集約したハードディスク・ＤＶＤ・ビデオ一体型レコーダが製品化され、快適なビデオライフを実現することができるようになった。
【０００３】
ビデオテープ（磁気テープ）は、ランダムアクセスができないため、例えば、記録した映像音声（情報）を再生する場合、所要の箇所まで磁気テープを巻き戻すか又は早送りする必要があった。しかし、磁気テープを巻き戻す場合又は早送りする場合において、磁気テープに映像信号が記録されていない期間があるときは、ノイズ画面が表示されるため、鑑賞者には不快感を与える虞があった。そこで、磁気テープを巻き戻す場合又は早送りする場合に、磁気テープに映像信号が記録されていない期間中には、ミュート映像信号を出力することにより、ノイズ画面を鑑賞者に見せないビデオテープレコーダが提案されている（特許文献１参照）。
【特許文献１】実開平２−５０８３５号公報
【発明の開示】
【発明が解決しようとする課題】
【０００４】
しかしながら、特許文献１の例にあっては、磁気テープの巻き戻し中又は早送り中は、ミュート映像が出力されるため、モニタ画面は青又は真っ黒となり、利用者は、退屈な時間を過ごさなければならなかった。また、記録されている番組のどの部分を巻き戻し中か又は早送り中かを知るためには、例えば、磁気テープの走行量をカウントするカウンタの値を予め利用者が記憶しておき、巻き戻し中又は早送り中のカウンタの値を見ながら推測する必要があり、利用者にとって利便性の向上が望まれていた。
【０００５】
本発明は、斯かる事情に鑑みてなされたものであり、再生中の情報から静止画像を取得して記憶しておき、磁気テープの巻き戻し中又は早送り中に、該磁気テープの再生中に取得された静止画像を出力する出力手段を備えることにより、利用者を退屈させることがない記録再生装置を提供することを目的とする。
【０００６】
また、本発明の他の目的は、再生中の情報から取得した静止画像の取得箇所を特定し、磁気テープが巻き戻し又は早送りされる場合、特定された取得箇所が再生ヘッド付近を走行する時点で、該取得箇所で取得された静止画像を出力することにより、利用者が巻き戻し中又は早送り中の番組の所望の箇所を素早く選び出すことができ、利用者の利便性を向上させることができる記録再生装置を提供することにある。
【０００７】
また、本発明の他の目的は、所定時間が経過する都度、再生中の情報から静止画像を取得することにより、磁気テープの走行量をカウントするカウンタを用いることなく、静止画像により番組の進行状況を把握することができ、さらに利用者の利便性を向上させることができる記録再生装置を提供することにある。
【０００８】
また、本発明の他の目的は、磁気テープが再生済であるか否かを判定し、磁気テープが再生済でないと判定された場合、磁気テープの巻き戻し中又は早送り中に、記憶された音楽データを再生する手段を備えることにより、静止画像を取得していない場合であっても利用者を退屈させることがない記録再生装置を提供することにある。
【０００９】
また、本発明の他の目的は、磁気テープを再生する場合に、該磁気テープを識別する識別情報を該磁気テープに記録するとともに、前記識別情報と前記磁気テープから取得された静止画像とを関連付けて記憶しておき、磁気テープが装填された場合、磁気テープに記録された識別情報を読み取り、読み取った識別情報と記憶された識別情報とが一致するか否かを判定し、識別情報が一致する場合、一致した識別情報に関連付けて記憶された静止画像を出力する手段を備えることにより、利用者がどの磁気テープにどの番組が記録されているかを素早く見つけることができる記録再生装置を提供することにある。
【課題を解決するための手段】
【００１０】
本発明に係る記録再生装置は、磁気テープに情報を記録するとともに、記録された情報を再生する記録再生装置において、再生中の情報から静止画像を取得する取得手段と、該取得手段で取得された静止画像を記憶する記憶手段と、磁気テープの巻き戻し中又は早送り中に、該磁気テープの再生中に取得された静止画像を出力する出力手段とを備えることを特徴とする。
【００１１】
本発明に係る記録再生装置は、磁気テープに記録された情報を再生するための再生ヘッドと、再生中の情報から取得した静止画像の取得箇所を特定する特定手段とを備え、前記出力手段は、磁気テープが巻き戻し又は早送りされる場合、前記取得箇所が前記再生ヘッド付近を走行する時点で、該取得箇所で取得された静止画像を出力するように構成してあることを特徴とする。
【００１２】
本発明に係る記録再生装置は、再生中の経過時間を計時する計時手段を備え、前記取得手段は、所定時間が経過する都度、静止画像を取得するように構成してあることを特徴とする。
【００１３】
本発明に係る記録再生装置は、音楽データを記憶する手段と、磁気テープが再生済であるか否かを判定する判定手段と、該判定手段で磁気テープが再生済でないと判定された場合、該磁気テープの巻き戻し中又は早送り中に、記憶された音楽データを再生する手段とを備えることを特徴とする。
【００１４】
本発明に係る記録再生装置は、磁気テープを再生する場合に、該磁気テープを識別する識別情報を該磁気テープに記録する手段と、前記識別情報と前記磁気テープの再生中に取得された静止画像とを関連付けて記憶する手段と、磁気テープが装填された場合、磁気テープに記録された識別情報を読み取る読取手段と、該読取手段で読み取った識別情報と記憶された識別情報とが一致するか否かを判定する手段と、読み取った識別情報が記憶された識別情報と一致する場合、一致した識別情報に関連付けて記憶された静止画像を出力する手段とを備えることを特徴とする。
【００１５】
本発明にあっては、磁気テープを再生する場合、再生中の情報から静止画像を取得し、取得した静止画像を記憶する。磁気テープの巻き戻し中又は早送り中に、該磁気テープの再生中に取得された静止画像を出力する。
【００１６】
本発明にあっては、磁気テープを再生する場合、特定手段は、再生中の情報から取得した静止画像の取得箇所を特定する。出力手段は、磁気テープが巻き戻し又は早送りされる場合、特定された取得箇所が再生ヘッド付近を走行する時点で、該取得箇所で取得された静止画像を出力する。
【００１７】
本発明にあっては、計時手段は、磁気テープが再生される場合、再生中の経過時間を計時する。取得手段は、所定時間（例えば、５分）が経過する都度、静止画像を取得する。これにより、例えば、番組の始まりから終わりまでの間、再生中の情報から５分おきに静止画像を取得する。
【００１８】
本発明にあっては、判定手段は、磁気テープが再生済であるか否かを判定する。磁気テープが再生済でないと判定された場合、磁気テープの巻き戻し中又は早送り中に、記憶された音楽データを再生する。これにより、磁気テープが未だ再生されていないため、静止画像が取得されていない場合であっても、静止画像を出力する代わりに音楽データを再生する。
【００１９】
本発明にあっては、磁気テープを再生する場合に、該磁気テープを識別する識別情報を該磁気テープに記録する。また、磁気テープを再生する場合に、前記識別情報と前記磁気テープから取得された静止画像とを関連付けて記憶する。読取手段は、磁気テープが装填された場合、磁気テープに記録された識別情報を読み取る。読み取られた識別情報と記憶された識別情報とが一致するか否かを判定し、識別情報が一致する場合、一致した識別情報に関連付けて記憶された静止画像を出力する。これにより、一度再生された磁気テープを装填する場合、磁気テープに記録された番組を素早く見つけることができる。
【発明の効果】
【００２０】
本発明にあっては、再生中の情報から静止画像を取得して記憶しておき、磁気テープの巻き戻し中又は早送り中に、該磁気テープの再生中に取得された静止画像を出力する出力手段を備えることにより、磁気テープの巻き戻し中又は早送り中であっても、利用者を退屈させることがない。
【００２１】
本発明にあっては、再生中の情報から取得した静止画像の取得箇所を特定し、磁気テープが巻き戻し又は早送りされる場合、特定された取得箇所が再生ヘッド付近を走行する時点で、該取得箇所で取得された静止画像を出力することにより、利用者が巻き戻し中又は早送り中の番組の所望の箇所を素早く選び出すことができ、利用者の利便性を向上させることができる。
【００２２】
本発明にあっては、磁気テープを再生する場合、所定時間が経過する都度、再生中の情報から静止画像を取得することにより、磁気テープの走行量をカウントするカウンタを用いることなく、静止画像により番組の進行状況を把握することができ、さらに利用者の利便性を向上させることができる。
【００２３】
本発明にあっては、磁気テープが再生済であるか否かを判定し、磁気テープが再生済でないと判定された場合、磁気テープの巻き戻し中又は早送り中に、記憶された音楽データを再生する手段を備えることにより、静止画像を取得していない場合であっても利用者を退屈させることがない。
【００２４】
本発明にあっては、磁気テープを再生する場合に、該磁気テープを識別する識別情報を該磁気テープに記録するとともに、前記識別情報と前記磁気テープから取得された静止画像とを関連付けて記憶しておき、磁気テープが装填された場合、磁気テープに記録された識別情報を読み取り、読み取った識別情報と記憶された識別情報とが一致するか否かを判定し、識別情報が一致する場合、一致した識別情報に関連付けて記憶された静止画像を出力する手段を備えることにより、利用者がどの磁気テープにどの番組が記録されているかを素早く見つけることができる。
【発明を実施するための最良の形態】
【００２５】
以下、本発明を実施の形態を示す図面に基づいて説明する。図１は本発明に係る記録再生装置１００の構成を示すブロック図である。記録再生装置１００は、チューナ１、映像音声処理部２、信号制御回路３、ＶＴＲインタフェイス回路４、ヘッド部５、テープ駆動部６、ＨＤＤインタフェイス回路７、ＨＤＤ８、ＤＶＤインタフェイス回路９、ＤＶＤドライブ１０、制御部１１、操作部１２、表示部１３、画像メモリ１４などを備えている。
【００２６】
チューナ１は、地上アナログ放送（ＶＨＦ、ＵＨＦ）及びＢＳアナログ放送の受信回路を備え、受信した信号を検波してアナログ映像信号及びアナログ音声信号を映像音声処理部２へ出力する。また、チューナ１は、受信した信号を検波してアナログ映像信号及びアナログ音声信号をモニタへ出力する。
【００２７】
映像音声処理部２は、番組（タイトル）の録画の場合、チューナ１から入力された地上アナログ放送（ＶＨＦ、ＵＨＦ）のアナログ映像信号及びアナログ音声信号をＶＨＳ方式のアナログ映像音声データに変換し、変換したアナログ映像音声データを信号制御回路３へ出力する。
【００２８】
また、映像音声処理部２は、映像ＡＤＣ、音声ＡＤＣ、映像信号符号化回路、音声信号符号化回路、信号合成回路などを備え、番組の録画の場合、チューナ１から入力された地上アナログ放送（ＶＨＦ、ＵＨＦ）及びＢＳアナログ放送のアナログ映像信号及びアナログ音声信号夫々をデジタル映像信号及びデジタル音声信号に変換し、変換したデジタル映像信号をＭＰＥＧ２方式に基づいて符号化するとともに、変換したデジタル音声信号をドルビーデジタル（ドルビーは、ドルビーラボラトリーズの登録商標）、又はリニアＰＣＭなどの方式に基づいて符号化し、符号化されたデジタル信号を合成してデジタル映像音声ストリームを形成し、形成したストリームを信号制御回路３へ出力する。
【００２９】
また、映像音声処理部２は、記録された番組の再生の場合、信号制御回路３から入力されたアナログ映像音声データをアナログ映像信号及びアナログ音声信号に分離し、分離したアナログ映像信号及びアナログ音声信号をモニタへ出力する。
【００３０】
また、映像音声処理部２は、映像ＤＡＣ、音声ＤＡＣ、映像信号復号化回路、音声信号復号化回路、信号分離回路などを備え、記録された番組の再生の場合、信号制御回路３から入力されたデジタル映像音声ストリームをデジタル映像信号及びデジタル音声信号に分離し、分離したデジタル信号をＭＰＥＧ２方式、ドルビーデジタル（ドルビーは、ドルビーラボラトリーズの登録商標）、リニアＰＣＭなどの方式に基づいて復号化し、復号化したデジタル映像信号及びデジタル音声信号夫々をアナログ映像信号及びアナログ音声信号に変換してモニタへ出力する。
【００３１】
信号制御回路３は、番組の録画の場合、映像音声処理部２から入力されたアナログ映像音声データをＶＴＲインタフェイス回路４へ出力する。
【００３２】
また、信号制御回路３は、番組の録画の場合、映像音声処理部２から入力されたデジタル映像音声ストリームをＨＤＤインタフェイス回路７又はＤＶＤインタフェイス回路９へ出力する。
【００３３】
また、信号制御回路３は、記録された番組の再生の場合、ＶＴＲインタフェイス回路４を介して入力されたアナログ映像音声データを映像音声処理部２へ出力する。
【００３４】
また、信号制御回路３は、記録された番組の再生の場合、制御部１１から入力される制御信号に基づいて、例えば、再生中の時間が５分経過する都度、再生中のアナログ映像音声データから静止画像を生成して取得し、取得した静止画像を画像メモリ１４に記録（記憶）する。この場合、信号制御回路３は、取得した静止画像と、制御部１１により特定される静止画像の取得タイミング（例えば、静止画像を取得した時点の磁気テープ上の位置）とを関連付けて記録する。
【００３５】
図２は画像メモリ１４に記録された静止画像と磁気テープ上の位置との関連を示す説明図である。図に示すように、個々の磁気テープを識別するためのテープＩＤ毎に、その磁気テープに記録されている番組中の画像位置（すなわち、静止画像を取得した時点の磁気テープ上の位置）及び番組再生中に記録された画像（すなわち、取得された静止画像）を記録している。例えば、テープＩＤが「０００１」の磁気テープに対しては、磁気テープのＳ１、Ｓ２、…、Ｓ５の各位置が再生された時点で取得された静止画像Ａ１、Ａ２、…、Ａ５が関連付けて記録されている。また、テープＩＤが「０００２」の磁気テープに対しては、磁気テープのＳ１、Ｓ２、…、Ｓ１０の各位置が再生された時点で取得された静止画像Ｂ１、Ｂ２、…、Ｂ１０が関連付けて記録（記憶）されている。
【００３６】
磁気テープの各位置Ｓ１、Ｓ２、…、Ｓ５は、次のように特定することができる。ＮＴＳＣ方式のテレビジョン信号では、フレーム周期が１／３０秒となっており、磁気テープのコントロールトラックにはフレーム毎に１回の周期でコントロール信号が記録されている。後述するように、ヘッド部５は、磁気テープのコントロールトラックなどに記録されたコントロール信号を読み出し、読み出したコントロール信号を、ＶＴＲインタフェイス回路４を通じて制御部１１へ出力する。制御部１１は、磁気テープの番組の再生が開始された時点（すなわち、番組の始まりを示すインデックス信号を取得した時点）からコントロール信号を計数し、計数値が「９０００」（１秒間で３０回、５分では３０×６０×５回）増加する都度、信号制御回路３に対して制御信号を出力して、その時点で再生中の番組から静止画像を取得するように制御する。これにより、静止画像の取得箇所（番組中の画像位置）をＳ１、Ｓ２、…、Ｓ５として特定する。
【００３７】
磁気テープを巻き戻す場合又は早送りする場合は、制御部１１は、番組中の画像位置Ｓ１、Ｓ２、…、Ｓ５に対応するコントロール信号の計数値が計数された時点に基づいて、静止画像が取得された時点の磁気テープ上の位置が巻き戻される時点又は早送りされる時点（すなわち、前記位置が後述するオーディオヘッド又はビデオヘッド付近を通過する時点）を特定する。
【００３８】
また、信号制御回路３は、制御部１１から入力される制御信号に基づいて、例えば、磁気テープの巻き戻し時に、静止画像が取得された時点の磁気テープ上の位置が巻き戻される時点（すなわち、前記位置が後述するオーディオヘッド又はビデオヘッド付近を通過する時点）に、その静止画像をアナログ映像信号に変換し、変換したアナログ映像信号を映像音声処理部２を通じてモニタへ出力する。
【００３９】
例えば、図２のテープＩＤが「０００１」の磁気テープを再生後、磁気テープを巻き戻す場合、磁気テープのＳ５の位置がオーディオヘッド又はビデオヘッド付近を通過する時点で、Ｓ５に対応する静止画像Ａ５をモニタに表示する。以下、同様な動作を繰り返し、磁気テープのＳ２の位置がオーディオヘッド又はビデオヘッド付近を通過する時点で、Ｓ２に対応する静止画像Ａ２をモニタに表示し、磁気テープのＳ１の位置がオーディオヘッド又はビデオヘッドを通過する時点で、Ｓ１に対応する静止画像Ａ１をモニタに表示する。
【００４０】
これにより、再生中の番組から取得した静止画像の磁気テープ上の取得箇所を特定し、特定された取得箇所が巻き戻しされる時点で、該取得箇所で取得された静止画像をモニタに表示することにより、巻き戻し中の番組の所望の箇所を素早く選び出すことができ、利用者の利便性を向上させることができる。
【００４１】
また、信号制御回路３は、制御部１１から入力される制御信号に基づいて、例えば、磁気テープの早送り時に、静止画像が取得された時点の磁気テープ上の位置が早送りされる時点（すなわち、前記位置が後述するオーディオヘッド又はビデオヘッド付近を通過する時点）に、その静止画像をアナログ映像信号に変換し、変換したアナログ映像信号を映像音声処理部２を通じてモニタへ出力する。
【００４２】
例えば、図２のテープＩＤが「０００１」の磁気テープを巻き戻した後、磁気テープを早送りする場合、磁気テープのＳ１の位置がオーディオヘッド又はビデオヘッド付近を通過する時点で、Ｓ１に対応する静止画像Ａ１をモニタに表示する。また、磁気テープのＳ２の位置がオーディオヘッド又はビデオヘッド付近を通過する時点で、Ｓ２に対応する静止画像Ａ２をモニタに表示する。以下、同様な動作を繰り返し、磁気テープのＳ５の位置がオーディオヘッド又はビデオヘッド付近を通過する時点で、Ｓ５に対応する静止画像Ａ５をモニタに表示する。
【００４３】
これにより、再生中の番組から取得した静止画像の磁気テープ上の取得箇所を特定し、特定された取得箇所が早送りされる時点で、該取得箇所で取得された静止画像をモニタに表示することにより、早送り中の番組の所望の箇所を素早く選び出すことができ、利用者の利便性を向上させることができる。
【００４４】
また、信号制御回路３は、記録された番組の再生の場合、ＨＤＤインタフェイス回路７又はＤＶＤインタフェイス回路９を介して入力されたデジタル映像音声ストリームを映像音声処理部２へ出力する。
【００４５】
ＶＴＲインタフェイス回路４は、番組の録画の場合、ヘッド部５を通じて信号制御回路３から入力されたアナログ映像音声データを磁気テープに記録する。
【００４６】
また、ＶＴＲインタフェイス回路４は、記録された番組の再生の場合、ヘッド部５を通じて磁気テープに記録されたアナログ映像音声データを読み出し、読み出したアナログ映像音声データを信号制御回路３へ出力する。
【００４７】
また、ＶＴＲインタフェイス回路４は、制御部１１の制御のもと、記録された番組の再生の場合、磁気テープの所定の位置に磁気テープを識別するためのテープＩＤを書き込む。書き込むテープＩＤは、例えば、再生時の日時又は再生時の日時を符号化したデータなどを用いることができる。なお、磁気テープにテープＩＤがすでに記録されている場合、ＶＴＲインタフェイス回路４は、記録されているテープＩＤを新しいテープＩＤで書き換える。
【００４８】
また、ＶＴＲインタフェイス回路４は、ヘッド部５から入力されたコントロール信号を制御部１１へ出力する。
【００４９】
ヘッド部５は、オーディオヘッド、ビデオヘッドなどの再生ヘッド及び記録ヘッド、コントロールヘッドなどを備え、ＶＴＲインタフェイス回路４から出力されたアナログ映像音声データを磁気テープに記録するとともに、磁気テープに記録されたアナログ映像音声データを読み出し、読み出したアナログ映像音声データをＶＴＲインタフェイス回路４へ出力する。
【００５０】
ヘッド部５は、磁気テープのコントロールトラックなどに記録されたコントロール信号を読み出し、読み出したコントロール信号をＶＴＲインタフェイス回路４へ出力する。
【００５１】
テープ駆動部６は、キャプスタンモータなどのモータを備え、ＶＴＲインタフェイス回路４から入力される駆動信号に基づいて、再生時又は録画時に所定の速度で磁気テープを走行駆動させるとともに、巻き戻し時又は早送り時に所定の高速度で磁気テープを走行駆動させる。なお、巻き戻し時又は早送り時に所定の高速度で磁気テープを走行駆動させる場合、オーディオヘッド及びビデオヘッドは磁気テープから十分な距離離隔するようにしてある。これにより、磁気テープの巻き戻し時又は早送り時には、番組の再生が行われないが、高速度で巻き戻し又は早送りを行うことができる。
【００５２】
ＨＤＤインタフェイス回路７は、番組の録画の場合、信号制御回路３から入力されたデジタル映像音声ストリームを、例えば、ＡＴＡＰＩ（AT Attachment with Packet Interface）などのＨＤＤインタフェイス信号（例えば、ＨＤＤ物理フォーマットの信号）に変換し、変換したデータをＨＤＤ８へ書き込む。
【００５３】
また、ＨＤＤインタフェイス回路７は、記録された番組の再生の場合、ＨＤＤ８に記録されたデータを再生した再生信号をデジタル映像音声ストリームに変換し、変換したデジタル映像音声ストリームを信号制御回路３へ出力する。
【００５４】
ＤＶＤインタフェイス回路９は、番組の録画の場合、信号制御回路３から入力されたデジタル映像音声ストリームを、例えば、ＡＴＡＰＩなどのＤＶＤインタフェイス信号（例えば、ＤＶＤ物理フォーマットの信号）に変換し、変換したデータをＤＶＤドライブ１０に装填されたＤＶＤ又はＣＤ（不図示）へ書き込む。
【００５５】
また、ＤＶＤインタフェイス回路９は、記録された番組の再生の場合、ＤＶＤ又はＣＤに記録されたデータを再生した再生信号をデジタル映像音声ストリームに変換し、変換したデジタル映像音声ストリームを信号制御回路３へ出力する。
【００５６】
制御部１１は、メモリを備え、磁気テープの再生時、録画時、巻き戻し時、早送り時などにおいて、所定の制御信号を信号制御回路３、ＶＴＲインタフェイス回路４、ＨＤＤインタフェイス回路７、ＤＶＤインタフェイス回路９へ出力することにより、磁気テープの再生、録画、巻き戻し、早送りの各処理を制御する。
【００５７】
また、制御部１１は、ＶＴＲインタフェイス回路４から入力されたコントロール信号を計数することにより、磁気テープの再生時、巻き戻し時、早送り時における磁気テープの走行位置（又は走行量）を検出する。制御部１１は、磁気テープを巻き戻し、又は早送りする場合、所定時間が経過する都度、画像メモリ１４に記録した静止画像を出力（モニタに表示）するための制御信号を信号制御回路３へ出力する。なお、巻き戻し又は早送りする場合の所定時間とは、再生時の所定時間（例えば、５分）が経過する都度、静止画像が取得された磁気テープ上の位置が、巻き戻し時にオーディオヘッド又はビデオヘッド付近を通過した後に次の位置がオーディオヘッド又はビデオヘッド付近を通過するまでの時間に相当する。
【００５８】
また、制御部１１は、磁気テープが装置に装填された場合、装填された磁気テープに記録されたテープＩＤを読み取るように制御信号をＶＴＲインタフェイス回路４へ出力し、ＶＴＲインタフェイス回路４を通じて入力されたテープＩＤが、画像メモリ１４に記録されたテープＩＤと一致するか否かを判定する。制御部１１は、テープＩＤが一致する場合、一致したテープＩＤに関連付けて記録された静止画像を出力（モニタに表示）するように制御信号を信号制御回路３へ出力する。
【００５９】
また、制御部１１は、磁気テープが装置に装填され、再生処理が行われた場合、再生処理が実施されたことを示すフラグをメモリに記録する。制御部１１は、巻き戻し処理又は早送り処理を行う際に、フラグを参照することにより、巻き戻し処理又は早送り処理が行われる磁気テープがすでに再生処理されたか否かを判定する。
【００６０】
また、制御部１１は、前記フラグを参照することにより、巻き戻し又は早送り処理を行う磁気テープが未だ再生処理がなされていないと判定した場合、ＨＤＤ８又はＤＶＤドライブ１０に装填されたＤＶＤ若しくはＣＤに記録された音楽データの有無を判定するための制御信号をＨＤＤインタフェイス回路７又はＤＶＤインタフェイス回路９へ出力する。ＨＤＤインタフェイス回路７又はＤＶＤインタフェイス回路９が、音楽データが記録されていることを示す信号を制御部１１へ出力した場合、制御部１１は、その音楽データを再生（例えば、モニタのスピーカへ出力）するように制御信号をＨＤＤインタフェイス回路７又はＤＶＤインタフェイス回路９へ出力する。
【００６１】
操作部１２は、録画、再生、巻き戻し、早送りなどの操作を受け付けるための操作ボタンを備え、各操作ボタンが操作された場合に、操作を示す信号を制御部１１へ出力する。
【００６２】
表示部１３は、液晶表示パネルを備え、操作部１２又はリモコン（不図示）における操作に応じて、録画、再生、巻き戻し、早送りなどの動作状態を表示する。
【００６３】
次に本発明の記録再生装置の動作について説明する。図３は磁気テープの再生時の動作の例を示すタイムチャートである。図３に示すように、磁気テープに録画された番組（映像音声）を再生する場合、制御部１１は、磁気テープに記録されたコントロール信号を読み取ることにより、再生中の経過時間を計時する。制御部１１は、再生の始まり（番組の始まりを示すインデックス信号の取得時点）から所定時間（例えば、５分）が経過する都度、その時点で再生された番組の静止画像を取得し、取得した静止画像を画像メモリ１４に記録させる。例えば、再生の始まりから５分経過した時点（磁気テープ上の位置Ｓ１）で、静止画像Ａ１を取得して記録させる。以下、同様に、５分経過する都度（磁気テープ上の位置Ｓ２、Ｓ３、Ｓ４、Ｓ５で）静止画像Ａ２、Ａ３、Ａ４、Ａ５を取得して記録させる。再生時間Ｔ１が経過した時点で番組が終わり、再生処理は停止される。
【００６４】
図４は磁気テープの巻き戻し時の動作の例を示すタイムチャートである。図４に示すように、制御部１１は、番組の終わりまで再生された磁気テープを巻き戻す場合、磁気テープに記録されたコントロール信号を読み取ることにより、巻き戻し中の磁気テープの位置を検出する。制御部１１は、巻き戻しの始まりから磁気テープ上の位置Ｓ５がオーディオヘッド又はビデオヘッド付近を通過する時点で、Ｓ５に対応する静止画像Ａ５をモニタに表示させる。制御部１１は、巻き戻し中の磁気テープの位置Ｓ４がオーディオヘッド又はビデオヘッド付近を通過する時点で、Ｓ４に対応する静止画像Ａ４をモニタに表示させる。この時点で表示中の静止画像はＡ５からＡ４に切り替えられる。以下、同様に、制御部１１は、巻き戻し中の磁気テープの位置Ｓ３、Ｓ２、Ｓ１がオーディオヘッド又はビデオヘッド付近を通過する時点で、静止画像Ａ３、Ａ２、Ａ１をモニタに表示させる。巻き戻し時間Ｔ２が経過した時点で巻き戻しが終了する。
【００６５】
図５は磁気テープの早送り時の動作の例を示すタイムチャートである。図５に示すように、制御部１１は、番組の始まりまで巻き戻された磁気テープを早送りする場合、磁気テープに記録されたコントロール信号を読み取ることにより、早送り中の磁気テープの位置を検出する。制御部１１は、早送りの始まりから磁気テープ上の位置Ｓ１がオーディオヘッド又はビデオヘッド付近を通過する時点で、Ｓ１に対応する静止画像Ａ１をモニタに表示させる。制御部１１は、早送り中の磁気テープの位置Ｓ２がオーディオヘッド又はビデオヘッド付近を通過する時点で、Ｓ２に対応する静止画像Ａ２をモニタに表示させる。この時点で表示中の静止画像はＡ１からＡ２に切り替えられる。以下、同様に、制御部１１は、早送り中の磁気テープの位置Ｓ３、Ｓ４、Ｓ５がオーディオヘッド又はビデオヘッド付近を通過する時点で、静止画像Ａ３、Ａ４、Ａ５をモニタに表示させる。早送り時間Ｔ３が経過した時点で早送りが終了する。
【００６６】
図６は磁気テープが装填された場合にモニタに表示される画面の例を示す説明図である。図６に示すように、磁気テープが装填された場合、ヘッド部５を通じて磁気テープのテープＩＤが読み取られ、読み取られたテープＩＤが画像メモリ１４に記録されたテープＩＤと一致する場合、一致するテープＩＤに関連付けて記録された静止画像のうち任意の静止画像（例えば、番組の始まりに最も近い静止画像）をモニタに表示する。これにより、利用者がどの磁気テープにどの番組が記録されているかを素早く見つけることができる。
【００６７】
図７は磁気テープが装填された場合の処理の手順を示すフローチャートである。制御部１１は、装填された磁気テープにテープＩＤがあるか否かを判定する（Ｓ１１）。テープＩＤがある場合（Ｓ１１でＹＥＳ）、制御部１１はテープＩＤを読み取り、読み取ったテープＩＤが画像メモリ１４に記録されたテープＩＤと一致するか否かを判定する（Ｓ１３）。
【００６８】
テープＩＤが一致する場合（Ｓ１３でＹＥＳ）、制御部１１は、一致したテープＩＤに関連付けて記録された画像（静止画像）を表示し（Ｓ１４）、処理を終了する。ステップＳ１１でテープＩＤがない場合（Ｓ１１でＮＯ）、制御部１１は、処理を終了する。また、ステップＳ１３でテープＩＤが一致しない場合（Ｓ１３でＮＯ）、制御部１１は、処理を終了する。この処理が行われた後、磁気テープの再生処理、巻き戻し処理、早送り処理が行われる。
【００６９】
図８は磁気テープの再生処理の手順を示すフローチャートである。制御部１１は、再生操作の有無を判定し（Ｓ２１）、再生操作がない場合（Ｓ２１でＮＯ）、ステップＳ２１の処理を続け、再生操作があるまで待機する。
【００７０】
再生操作がある場合（Ｓ２１でＹＥＳ）、制御部１１は、テープＩＤを磁気テープに書込み（Ｓ２２）、番組の再生を行う（Ｓ２３）。制御部１１は、ＶＴＲインタフェイス回路４から出力されるコントロール信号を計数し（Ｓ２４）、所定時間（例えば、５分）が経過したか否かを判定する（Ｓ２５）。所定時間が経過していない場合（Ｓ２５でＮＯ）、制御部１１は、ステップＳ２５の処理を続け、所定時間が経過するまで待機する。
【００７１】
所定時間が経過した場合（Ｓ２５でＹＥＳ）、制御部１１は、その時点で再生中の番組の画像（静止画像）を記録する（Ｓ２６）。制御部１１は、再生処理が終了したか否かを判定し（Ｓ２７）、再生処理が終了していない場合（Ｓ２７でＮＯ）、ステップＳ２４以降の処理を続ける。再生処理が終了した場合（Ｓ２７でＹＥＳ）、制御部１１は、処理を終了する。
【００７２】
図９は磁気テープの巻き戻し処理の手順を示すフローチャートである。制御部１１は、巻き戻し操作の有無を判定し（Ｓ３１）、巻き戻し操作がない場合（Ｓ３１でＮＯ）、ステップＳ３１の処理を続け、巻き戻し操作があるまで待機する。
【００７３】
巻き戻し操作がある場合（Ｓ３１でＹＥＳ）、制御部１１は、テープ（磁気テープ）がすでに再生済であるか否かを判定し（Ｓ３２）、再生済である場合（Ｓ３２でＹＥＳ）、磁気テープの巻き戻しを行う（Ｓ３３）。
【００７４】
制御部１１は、ＶＴＲインタフェイス回路４から出力されるコントロール信号を計数し（Ｓ３４）、所定時間が経過したか否かを判定する（Ｓ３５）。所定時間が経過していない場合（Ｓ３５でＮＯ）、制御部１１は、ステップＳ３５の処理を続け、所定時間が経過するまで待機する。所定時間が経過した場合（Ｓ３５でＹＥＳ）、制御部１１は、巻き戻し時点（すなわち、所定時間が経過した時点でオーディオヘッド又はビデオヘッド付近を通過した磁気テープ上の位置）の画像（静止画像）を読み出し（Ｓ３６）、読み出した画像（静止画像）を表示する（Ｓ３７）。
【００７５】
制御部１１は、巻き戻し処理が終了したか否かを判定し（Ｓ３８）、巻き戻し処理が終了していない場合（Ｓ３８でＮＯ）、ステップＳ３４以降の処理を続ける。巻き戻し処理が終了した場合（Ｓ３８でＹＥＳ）、制御部１１は、処理を終了する。
【００７６】
一方、ステップＳ３２で、テープが再生済でない場合（Ｓ３２でＮＯ）、制御部１１は、音楽データがＨＤＤ８又はＤＶＤドライブ１０に装填されたＤＶＤ若しくはＣＤにあるか否かを判定し（Ｓ３９）、音楽データがある場合（Ｓ３９でＹＥＳ）、音楽データを再生し（Ｓ４０）、磁気テープの巻き戻しを行う（Ｓ４１）。
【００７７】
制御部１１は、巻き戻し処理が終了したか否かを判定し（Ｓ４２）、巻き戻し処理が終了していない場合（Ｓ４２でＮＯ）、ステップＳ４１以降の処理を続ける。巻き戻し処理が終了した場合（Ｓ４２でＹＥＳ）、制御部１１は、処理を終了する。一方、音楽データがない場合（Ｓ３９でＮＯ）、制御部１１は、ステップＳ４１以降の処理を行なう。
【００７８】
図１０は磁気テープの早送り処理の手順を示すフローチャートである。制御部１１は、早送り操作の有無を判定し（Ｓ５１）、早送り操作がない場合（Ｓ５１でＮＯ）、ステップＳ５１の処理を続け、早送り操作があるまで待機する。
【００７９】
早送り操作がある場合（Ｓ５１でＹＥＳ）、制御部１１は、テープ（磁気テープ）がすでに再生済であるか否かを判定し（Ｓ５２）、再生済である場合（Ｓ５２でＹＥＳ）、磁気テープの早送りを行う（Ｓ５３）。
【００８０】
制御部１１は、ＶＴＲインタフェイス回路４から出力されるコントロール信号を計数し（Ｓ５４）、所定時間が経過したか否かを判定する（Ｓ５５）。なお、早送り処理でいう所定時間とは、再生時の所定時間（例えば、５分）が経過する都度、静止画像が取得された磁気テープ上のある位置が、早送り時にオーディオヘッド又はビデオヘッド付近を通過した後に次の位置がオーディオヘッド又はビデオヘッド付近を通過するまでの時間に相当する。
【００８１】
所定時間が経過していない場合（Ｓ５５でＮＯ）、制御部１１は、ステップＳ５５の処理を続け、所定時間が経過するまで待機する。所定時間が経過した場合（Ｓ５５でＹＥＳ）、制御部１１は、早送り時点（すなわち、所定時間が経過した時点でオーディオヘッド又はビデオヘッド付近を通過した磁気テープ上の位置）の画像（静止画像）を読み出し（Ｓ５６）、読み出した画像（静止画像）を表示する（Ｓ５７）。
【００８２】
制御部１１は、早送り処理が終了したか否かを判定し（Ｓ５８）、早送り処理が終了していない場合（Ｓ５８でＮＯ）、ステップＳ５４以降の処理を続ける。早送り処理が終了した場合（Ｓ５８でＹＥＳ）、制御部１１は、処理を終了する。
【００８３】
一方、ステップＳ５２で、テープが再生済でない場合（Ｓ５２でＮＯ）、制御部１１は、音楽データがＨＤＤ８又はＤＶＤドライブ１０に装填されたＤＶＤ若しくはＣＤにあるか否かを判定し（Ｓ５９）、音楽データがある場合（Ｓ５９でＹＥＳ）、音楽データを再生し（Ｓ６０）、磁気テープの早送りを行う（Ｓ６１）。
【００８４】
制御部１１は、早送り処理が終了したか否かを判定し（Ｓ６２）、早送り処理が終了していない場合（Ｓ６２でＮＯ）、ステップＳ６１以降の処理を続ける。早送り処理が終了した場合（Ｓ６２でＹＥＳ）、制御部１１は、処理を終了する。一方、音楽データがない場合（Ｓ５９でＮＯ）、制御部１１は、ステップＳ６１以降の処理を行なう。
【００８５】
以上説明したように、本発明にあっては、磁気テープの巻き戻し中又は早送り中であっても、磁気テープの再生中の番組から取得した静止画像を出力（表示）させるので、利用者を退屈させることがない。また、利用者が巻き戻し中又は早送り中の番組の所望の箇所を素早く選び出すことができるとともに、静止画像により番組の進行状況を把握することができ、利用者の利便性を向上させることができる。また、静止画像を取得していない場合であっても、磁気テープの巻き戻し中又は早送り中に、記憶された音楽データを再生することにより、利用者を退屈させることがない。さらに、磁気テープを装填する場合、利用者がどの磁気テープにどの番組が記録されているかを素早く見つけることができる。
【００８６】
上述の実施の形態においては、記録再生装置１００は、ＨＤＤとＤＶＤドライブとを備える構成であったが、これに限定されるものではなく、ＢＤ（ブルーレイディスク）、ＨＤ−ＤＶＤなどを備えるものであってもよい。また、磁気テープは、ＶＨＳ方式に限定されるものではなく、Ｓ−ＶＨＳなどの他のアナログ記録方式でもよく、また、デジタル記録方式のものであってもよい。
【００８７】
上述の実施の形態においては、静止画像を取得するための所定時間を５分として説明したが、これに限定されるものではなく、２分、３分、４分、１０分など他の時間を用いることもできる。
【００８８】
上述の実施の形態においては、テープＩＤに１つの番組を対応させた例で説明したが、１つの磁気テープに複数の番組が録画されている場合でも、本発明を適用することができる。例えば、磁気テープを装置に装填した場合、装填した磁気テープに３つの番組が録画されているときには、夫々の番組の静止画像、すなわち３つの静止画像をモニタに表示させる構成にしてもよい。
【００８９】
上述の実施の形態では、音楽データが、ＨＤＤ又はＤＶＤドライブに装填されたＤＶＤ若しくはＣＤに記録されている場合について説明したが、これに限定されるものではなく、例えば、半導体メモリなどに音楽データが記録される構成であってもよい。また、上述の実施の形態では、静止画像を画像メモリ１４に記録する構成であったが、これに限定されるものではなく、ＨＤＤ８又は他の記録媒体に記録するようにしてもよい。
【００９０】
上述の実施の形態では、静止画像が取得されていない場合に、巻き戻し又は早送り処理を行うときに、音楽データを再生する構成であったが、これに限定されるものではなく、他の画像（静止画像又は動画像）をモニタに表示させる構成であってもよい。また、画像の表示と音楽データの再生を同時に行う構成であってもよい。
【００９１】
上述の実施の形態において、再生処理を行った磁気テープを装置から取り出す場合、１つの番組に対して１つの静止画像（例えば、番組の始まりに近いシーン）のみを記録しておき、他の静止画像を消去する構成にすることもできる。
【００９２】
上述の実施の形態においては、巻き戻し時又は早送り時に静止画像を連続して表示させる構成であったが、これに限定されるものではなく、２つの静止画像の間に静止画像を表示させないインターバルを設ける構成であってもよい。
【００９３】
上述の実施の形態では、地上アナログ放送（ＶＨＦ、ＵＨＦ）及びＢＳアナログ放送を受信する場合について説明したが、受信する放送は、これに限定されるものではなく、本発明は、デジタル記録方式の磁気テープを用いることにより、ＢＳデジタル放送、１１０度ＣＳデジタル放送、地上デジタル放送を受信する場合にも適用することができる。
【００９４】
上述の実施の形態では、磁気テープの再生中に静止画像を取得する構成であったが、静止画像に限定されるものではなく、再生中の番組を所定の時間だけ動画として記録しておき、磁気テープの巻き戻し中又は早送り中に記録した動画を表示するようにしてもよい。
【００９５】
上述の実施の形態では、再生中の番組からの静止画像の取得タイミング、巻き戻し時又は早送り時の静止画像の出力（表示）タイミングをコントロール信号を計数することにより特定する構成であったが、これに限定されるものではなく、他の構成でも実現することができる。例えば、番組の始まりと終わりを示すインデックス信号、磁気テープの再生速度、巻き戻し速度、早送り速度を予め定めておき、番組の始まりを示すインデックス信号の取得時点から所定時間の経過の都度、静止画像を取得し、巻き戻し時又は早送り時には、番組の始まり又は終わりを示すインデックス信号の取得時点と、再生速度に対する巻き戻し速度又は早送り速度の比率とに基づいて、静止画像の取得時点を逆算して出力（表示）するようにすることもできる。
【図面の簡単な説明】
【００９６】
【図１】本発明に係る記録再生装置の構成を示すブロック図である。
【図２】画像メモリに記録された静止画像と磁気テープ上の位置との関連を示す説明図である。
【図３】磁気テープの再生時の動作の例を示すタイムチャートである。
【図４】磁気テープの巻き戻し時の動作の例を示すタイムチャートである。
【図５】磁気テープの早送り時の動作の例を示すタイムチャートである。
【図６】磁気テープが装填された場合にモニタに表示される画面の例を示す説明図である。
【図７】磁気テープが装填された場合の処理の手順を示すフローチャートである。
【図８】磁気テープの再生処理の手順を示すフローチャートである。
【図９】磁気テープの巻き戻し処理の手順を示すフローチャートである。
【図１０】磁気テープの早送り処理の手順を示すフローチャートである。
【符号の説明】
【００９７】
１  チューナ
２  映像音声処理部
３  信号制御回路
４  ＶＴＲインタフェイス回路
５  ヘッド部
６  テープ駆動部
７  ＨＤＤインタフェイス回路
８  ＨＤＤ
９  ＤＶＤインタフェイス回路
１０  ＤＶＤドライブ
１１  制御部
１２  操作部
１３  表示部
１４  画像メモリ
【図１】
2007274093.tif 000003
【図２】
2007274093.tif 000004
【図３】
2007274093.tif 000005
【図４】
2007274093.tif 000006
【図５】
2007274093.tif 000007
【図６】
2007274093.tif 000008
【図７】
2007274093.tif 000009
【図８】
2007274093.tif 000010
【図９】
2007274093.tif 000011
【図１０】
2007274093.tif 000012